(57)【要約】      （修正有）【課題】光エネルギー及び電気エネルギーの交互転換による発電・蓄電・配電・給電を行う方法及びそのシステムを提供する。【解決手段】主として、太陽電池モジュール３・人工光源４・蓄電設備５・導線・電子自動制御素子と部品及び負荷などによって構成され、太陽光のエネルギーによって太陽電池モジュール３から得た電気エネルギーを、中空構造物体内に置かれ且つ適当な波長を有する人工光源４に供給し、前記中空構造物体内側壁に設置した複数の太陽電池モジュール３を照射することにより、大量の電気エネルギーを生成する。【効果】この生成したエネルギーを蓄積または利用することで、従来の発電源の稼働を減らすことで環境保護に貢献できる。【選択図】    図１
2006296164.tif 000002
【特許請求の範囲】
【請求項１】
電気エネルギー源によって適当な波長を有する人工光源を起動させ、前記人工光源を中空構造物体内側壁に敷設した太陽電池モジュール全面に対して照射し、前記太陽電池モジュールによって大量の電気エネルギーを生成し、且つ各種自動電子制御素子・部品及び回路・蓄電設備などを調整制御・保護することによって蓄積・利用することを特徴とする光エネルギー及び電気エネルギーの交互転換によって発電・蓄電・配電・給電を行う方法。
【請求項２】
前記生成された電気エネルギーは、システム自体の運営・負荷に使用され、貯蓄されるほか、商用電力のネットワークと融合して交互にエネルギーの疎通を行うことを特徴とする請求項１に記載の光エネルギー及び電気エネルギーの交互転換によって発電・蓄電・配電・給電を行う方法。
【請求項３】
前記生成された電気エネルギーは、運搬キャリヤーに使用する場合、ディーゼルエンジンの動力にとって替わることが出来ることを特徴とする請求項１に記載の光エネルギー及び電気エネルギーの交互転換によって発電・蓄電・配電・給電を行う方法。
【請求項４】
中空構造物体と、
前記中空構造物体の内側壁の上に設置された複数の太陽電池モジュールと、
前記中空構造物体内に設置され、前記太陽電池モジュールからの照射を受けることによって電力を生成出力する人工光源と、
前記人工光源を起動させるエネルギーを提供するための電気エネルギー源とによって構成されることを特徴とする光エネルギー及び電気エネルギーの交互転換によって発電・蓄電・配電・給電を行うシステム。
【請求項５】
前記システム内の電気エネルギー源は、人工電気エネルギー又は太陽エネルギーから転換して出来た電気エネルギーであってよいことを特徴とする請求項４に記載の光エネルギー及び電気エネルギーの交互転換によって発電・蓄電・配電・給電を行うシステム。
【請求項６】
前記中空構造物体の形状は、箱形・三角形・多角形・球形或いはその他の適当な形状、且つ独自に又はシステムの需要に応じて別々に又は合併して組合わせ運用できることを特徴とする請求項４に記載の光エネルギー及び電気エネルギーの交互転換によって発電・蓄電・配電・給電を行うシステム。
【請求項７】
前記中空構造物体には、監視窓及びインジケーター・警告信号を設置してシステムの正確な運営を確保できるようにしたことを特徴とする請求項４に記載の光エネルギー及び電気エネルギーの交互転換によって発電・蓄電・配電・給電を行うシステム。
【発明の詳細な説明】
【技術分野】
【０００１】
本発明は、複数の太陽電池モジュール(photovoltaic(pv)module)を中空立体構造物の内側壁（例えば正立方体箱内壁又はその他適当な形状）に配置し、更に適当な波長の人工光源によって均一に照射を行い、前記複数の太陽電池モジュールにおいて人工光源の消耗電力パワーより大きい電気エネルギーを生成させ、これを適度に蓄積及び利用する方法に関するものである。その前に、前記中空構造物の外部に十分なパワーを備えた太陽電池モジュールを用意し、太陽光エネルギーを電気エネルギーに転換して、前記人工光源に電気エネルギー源を提供する。或いは、蓄電池又はその他人工電源を用意して電気エネルギー源を前記人工光源に提供することによって、適度な波長の光エネルギーを獲得しなければならない。
【０００２】
本発明によれば、太陽エネルギーを本発明システムのエネルギー源とし、箱体外側に配置した太陽電池モジュールを起動させることによって、電気エネルギー源を生成し、箱体内部の人工光源に提供することが出来る。或いは、日照りの無い時又は日照り不足の場合に、蓄電池或いはその他の人工電気エネルギー源を接続して箱体内の適度な波長を備えた人工光源にエネルギー源を提供し、中空構造体内側壁に配置された複数の太陽電池モジュールを均一に照射することによって、人工光源の消耗電力パワーより大きい大量の電気エネルギーを生成することが出来る。正立方体を例に取ると、箱体は六つの側面によって構成されているので、前記人工光源は箱体内側壁に設置された六つの太陽電池モジュールに均一に投射され、大量の電気エネルギーを生成させる、取得された電気エネルギーはシステム内に合理的且つ安全に配置された各種の電子制御素子・部品・変換器・電気回路・導線・負荷及び電気エネルギー蓄積設備などの調整制御・運用及び保護によって、持続的且つ安定した電気エネルギーとして供給される。
【背景技術】
【０００３】
人類が電気エネルギーを発見して以来、電気エネルギーは人類の生活を大幅に改善し、物質文明のレベルにおいて、驚くべき進歩をもたらした。電気エネルギーに対する極度の依頼及び大量の需要で、人類は絶えず各種のエネルギー源の開発に従事し、電気エネルギーに転換することを探求してきた。人類の貪欲な大規模開発及び破壊の下に、われわれの生存している地球は今まさに人知れず着々と反撃を展開している。例えば、温室効果・エルニーニョ現象・各種の汚染・緑地の砂漠化・酸性雨等等、ほとんど全てが物欲を追求する工業化の結果である。そして、限りなく拡張する物欲や深まる工業化の代価として、エネルギーの枯竭と環境汚染、及び人類の自己絶滅の可能性が待ち受けている。
【０００４】
ここ三、四十年間、ひどい環境汚染、異常な気候が、人々に、エネルギーの開発において、出来るだけ早く高度汚染の元である石油化学、核エネルギー等の手段を捨て、クリーンで汚染の無い太陽エネルギー発電に切り替えるべきことを気づかせている。太陽内部では絶えず熱核反応が行われており、これは毎秒一千万個の水素爆弾が同時に爆発していることに等しく（たとえ実際の反応は水素爆弾とは少し異なるとしても）、これらの“爆発”が大量の光と熱を供給している。太陽の質量は非常に膨大なものであるため、更に約50億年間維持した後初めて赤い巨星になる。つまり、太陽が死亡するまでは、人類は太陽エネルギーを巧く利用することが出来、その間一層優れたエネルギーを研究開発し、太陽系が滅亡する前に、別の星系へ“逃れ”て人類の生命を延続させることが出来る。
【０００５】
太陽電池の効果は、フランスの物理学者Edmund Becquerelによって1839年に始めて発見された。二十世紀の三十年代になって、量子力学が発展し、更に一歩進んで太陽電池の基礎理論が人々に理解され、一層太陽電池の研究と開発を促し、米・ソ等強権国家早期の宇宙計画において、太陽電池はさらに大きくその実用性を証明した。
【０００６】
太陽電池は、凡そ単結晶性・多結晶性及び非結晶性などに大別される。単結晶電池は、単結晶珪素によって作られ、効率が最も高く、理論的極限値は29%の効率まで達成できる。多結晶珪素電池の効率はやや低く、しかしコストが比較的安いため、比較的広く使われている。非結晶類、つまり薄膜電池の類は、コストは安いが、効率があまり高くないため、現在消耗電力の比較的小さい小型の電子製品方面に通常使われている。このほか、化合物半導体類に属するガリューム化砒素(GaAs)電池も、単結晶材料に属すが、コストが極めて高いため、特殊な用途にだけ使われている。
【０００７】
現在、太陽電池の応用面では、目的の規模によって通常大面積の陣列が必要であるが、これは太陽電池の効率及びコスト要因に制限されているためである。先進国家では、太陽エネルギー発電を有効に利用するため、更に住宅や商業ビル・学校・病院などの建築物に太陽電池モジュール又はPVパネルを採用し、且つ一種の装飾物として設計している。又あるメーカー等はいっそ太陽電池モジュールでPVタイルなどを作っている。これらの設計や製品は、更に配電・変換器及び制御システムによって、無料の電力を供給することが出来る。このほか、商用電力システムと整合して、夜間或いは曇りの日や緯度及び季節の要素によって日照り不足を来たした時に、パワー調節器及び変換器などによって自動的に商用電力へ切換え接続し、運転負荷を維持することが出来る。一方、システム自体のエネルギー使用量が比較的少ない時は、太陽電池によって生成した余分のエネルギーを商用電力ネットワークへ注入することも出来る。
【０００８】
太陽電池発電システムの使用は現在尚多くの技術及び天候条件に制限されているため、設計使用する前に、太陽のスペクトラム値やエアマス(air mass AM)・周囲の温度・地形・風向き・相対湿度・熱衝撃・ひょう・降雪・雨量・日照り量・地域緯度等等の環境条件を参照しなければならず、このほかに、材料の機械的規格や電気的規格などの条件も全て仔細に、全般的に考慮して、初めて安全で合理的な効果と利益が得られる。これらの条件には非常に厳しい要求及び制限があるので、各国の政府では手厚い奨励条件を提供しているにもかかわらず、太陽エネルギー発電の理想は、まだ普遍的な実現を見ていない。
【発明の開示】
【発明が解決しようとする課題】
【０００９】
本発明の主要目的は、光エネルギー及び電気エネルギーの交互転換によって発電・蓄電・配電・給電を行う方法及びそのシステムを提供し、油源或いはその他の天然資源の開鑿を減少し、又は核エネルギー発電所を停止し、その他の形態の発電所の建設及び運転を行うことによって、汚染を減らし、且つ一歩進めて地球の環境保護及び人類の永続生存を保障することにある。
【００１０】
本発明のもう一つの目的は、光エネルギー及び電気エネルギーの交互転換によって発電・蓄電・配電・給電を行う方法及びそのシステムを提供し、安定した発電・蓄電・配電・給電を行い、人々が独立自主且つ長期的に電気料金を負担する必要の無い、斬新且つ経済的模式で電気用品を使用し、思うままに電子設備及び科学技術の成果を享受できるようにすることにある。
【００１１】
本発明の又もう一つの目的は、光エネルギー及び電気エネルギーの交互転換によって発電・蓄電・配電・給電を行う方法及びそのシステムを提供し、昼夜・天候・地域緯度の制限を受けず、現在の太陽エネルギー発電の大規模陣列を突破し、使用面積及びその他の自然条件の制限を減らし、風雪・地震・砂埃暴風などの破壊確率を低下させ、持続的に汚染なし電気エネルギーを生成することにある。
【００１２】
本発明の更にもう一つの目的は、光エネルギー及び電気エネルギーの交互転換によって発電・蓄電・配電・給電を行う方法及びそのシステムを提供し、独立自主・低コスト且つ高能率の方法及び設備によって、辺縁地区の加速開発又は海水の淡水化を行う電力条件を提供することにある。
【００１３】
本発明の又もう一つ別の目的は、光エネルギー及び電気エネルギーの交互転換によって発電・蓄電・配電・給電を行う方法及びそのシステムを提供し、独立電気用品がネットワーク電源の制限を受けずに使用できるようにすることにある。
【００１４】
本発明の次の目的は、光エネルギー及び電気エネルギーの交互転換によって発電・蓄電・配電・給電を行う方法及びそのシステムを提供し、ディーゼル・エンジンを配備したキャリヤーの動力を無料且つクリーンな電気エネルギーに転換して使用できるようにすることにある。
【００１５】
本発明の他の目的は、光エネルギー及び電気エネルギーの交互転換によって発電・蓄電・配電・給電を行う方法及びそのシステムを提供し、大規模中央給電ネットワークシステムの束縛を離れ、小規模且つ独立自主の形態で続々と尽きない電気エネルギーを獲得し、一歩進んで敵方の我が方発電所に対する打撃や交通・経済・国防・民生などを麻痺状態にさせる野心を瓦解できるようにすることにある。
【００１６】
本発明のもう一つ他の目的は、光エネルギー及び電気エネルギーの交互転換によって発電・蓄電・配電・給電を行う方法及びそのシステムを提供することによって、高密度電力輸配送ネットワークを減らし、更にケーブルやワイヤーの架設・埋設工事及びメンテナンスコストを節約し、且つ電線の漏電による火事及びその他の災害の危険性及び発生率を引き下げることにある。
【００１７】
本発明の付帯的目的は、光エネルギー及び電気エネルギーの交互転換によって発電・蓄電・配電・給電を行う方法及びそのシステムを提供し、自由に取り外して移動し、且つ再度組みたてを行って戸外活動・旅行又は工事現場・戦地・集会など特殊な目的の臨時電源とすることにある。
【００１８】
本発明のもう一つの付帯的目的は、光エネルギー及び電気エネルギーの交互転換によって発電・蓄電・配電・給電を行う方法及びそのシステムを提供し、完璧に構築されたシステム内において、電気エネルギー源を保留・蓄積できさえすれば、或いは最も原始的な手動式発電機によって電気エネルギー源を提供できれば、たとえ長年氷雪に埋もれた地区や長い夜に閉ざされた地区であっても、スムーズにシステム内の太陽電池モジュールを起動して発電させ、絶えず電気エネルギーを生成することが出来るようにすることにある。
【課題を解決するための手段】
【００１９】
前記目的を達成するため、本発明では、現在の太陽電池モジュール又は大規模陣列のエネルギー収集装置の組立て及び配置方式を、逆思考的に調整を行った。又、現在の太陽電池モジュール・PVパネル(pv panel)や陣列(pv array)の太陽光に向かって配置する方式を箱の中に入れて日の目を見ない方式に変えると共に、太陽電池を照射する太陽光源を特定の波長を持つ人工光源に変えた。
【００２０】
本発明では、大胆に太陽電池モジュールを中空の立体構造物の内側壁に対向させて組立てた、例えば、正立方箱体・三角箱体・多角箱体・球形箱体或いはその他の適当な形態などとし、外観上では太陽電池の発電メカニズムとは見えない、正立方箱体を例に取ると、箱内の正中心点に適当な波長及びパワーの人工光源を設け、この人工光源によって特定波長の光を均一に前記正立方箱体内側壁の六つの太陽電池モジュールに投射することによって、大量の電力を出力することが出来る。その前に、先ず箱体の頂上側或いはその他の適当な位置に適当なパワーの太陽電池を敷設し、これによって太陽エネルギーから転換された電気エネルギーを直接電気エネルギー源として箱内の人工光源へ提供する。こうすれば、人工光源の消耗パワーより大きい電気エネルギーを連鎖的に生成することが出来る。一辺の長さが１メートルの正立方体を例に取ると、日光の照射が十分な位置に定格パワーが150w/m2である太陽電池モジュール２m2を敷設することによって300wの電力を獲得し、且つこれを約300wパワーの人工光源に提供することによって、特定波長の光を均一に箱内六つの内側壁に配置した太陽電池モジュールへ照射する。太陽電池モジュール一個のパワーを150w/m2として計算すると、900wの電力を生成することが出来る（ここでは、人工光源及び導線によって生じる微小な陰影・抵抗及びその他の損失を一応精算しない）。仮にこの取得された900wの電力を更にそれぞれ別の三つの同じく300wの人工光源へ転換して平均に与え、且つ同時に特定波長の光で別の三つの同じ構造の正立方体箱内側壁の太陽電池モジュールへ均一に照射すると、2700wの電気エネルギーを獲得でき、且つこのように類推して無限大の電気エネルギーを獲得し、且つ如何なる天候の影響も受けることはない。勿論、取得する電気エネルギーのパワーを計算する時は、人工光源に転換済みの消耗部分を差し引かなければならないが、それでも「残高」として、かなりの電気エネルギーを蓄積・利用に供することが出来る。
【００２１】
前述取得された電気エネルギーは、適当なシステム設計によって負荷又は蓄電設備システムへ提供することが出来るし、又システム自体の人工光源へ循環供給することも出来る。或いは一歩進めて商用電力ネットワークシステムと整合して融合することも出来る。本発明のシステムは、適当な設計を加え、適当な自動制御電子素子・部品、例えば、変換器・電圧制御器・パワー調節器・ウェーブ フィルター或いはウェーブ フィルター回路・整流器・周波数発生器・パルス幅調整制御部品・ブリッジ ジョイント回路・保護回路・半導体スイッチ素子（SCR,シリコン制御整流器）・電気メーター・漏電検出器等の素子・部品及び導線・回路システムに取り付けると、極めて大きな効果と利益をもたらして、多くのエネルギー問題を解決することが出来る。若し、商用電力のネットワークと整合する必要があれば、双方向エネルギー交互流通の監視制御・協調及び切り替えのメカニズムを設計・構築してつなぎ合わせることも出来、しかもこれらの電子素子・部品は、すでにかなり完備しており、欧米・日本など先進国の太陽電池は実際の応用面で、すでに相当進んだ成果を挙げており、ここでは贅述を省く。
【００２２】
このほかに、若し夜間又は日照り不足の状況下で、即刻本発明システムを起動させたい場合は、先ず予め蓄電池或いはその他の人工電源供給源によって電気エネルギー源を供給して人工光源を起動させ、即時的な大パワー発電を行い、且つシステム内の自動制御システムによって生成された大半の電力を電気エネルギー源としての蓄電池或いはその他の蓄電設備へフィードバックすることによって、蓄積し、負荷使用に供し、且つシステム自体の人工光源運営の維持に必要な電気エネルギーの循環利用を行うことが出来る。本発明のシステムは、軽型の運搬キャリヤーにも使用でき、且つディーゼルエンジンにとって替わることも出来る。
各大学院や研究機構で太陽エネルギー電動車のコンテストで、よく扁平で幅が広くて低い車の屋根に沢山の太陽電池モジュールを構築して載せているのを見かけるが、これからは、本発明を利用して、異なるパワーを備えた車を設計することが出来、もはや扁平で幅が広くて低い造形の太陽エネルギー自動車を必要とせず、曇り日や雨の日でも、暗黒の夜間でも、絶えまなく駆動して走行することが出来る。動力に必要な電気エネルギーが持続的に本発明のシステム内における沢山の電気エネルギー生成箱の中から続々と生成され、もはや如何なる天候の影響又は暗夜など日照り条件の制限及び影響も受けず、且つ充電する必要も無いので、物件を載せることも出来る。ただ一つ強化すべきことは、キャリヤーが移動するとき上下に揺れて人工光源及び関連施設に影響しないように、関連部品の固定部を強化することである。
【００２３】
本発明システムの唯一の欠点は、特定波長の人工光源及び蓄電池施設にはいずれもその設計の使用寿命があり、定期的に保守又は交換を行わなければならないことである。システム内には、人工光源の検知及び保守交換のために、太陽電池モジュールを取り付けた箱形構造体の上に開閉可能な監視窓を設置したり、必要な場合に検知及び警告信号を送り出すプログラムが必要である。信号が人工光源の故障又は交換すべき段階を示す時に備え、自動シャットダウン・スイッチによって電源を切断し、且つ監視窓を開いて人工光源の取替え交換を行えるようにする必要がある。蓄電設備及びその他の回路素子・部品も又然り、安全に本システムを使用することは、汚染の無い静かなエネルギーを享受する先決条件である。
【００２４】
又、箱体は中空構造物であり、その中に置かれた人工光源は持続的に作動している、従ってシステムの正確・安全な運営を確保するため、箱体の材質及び通気性について適度な要求を満たさなければならない。
【００２５】
本発明の方法及びシステムに必要な電子制御素子・部品・導線・回路・人工光源・周波系譜・蓄電池の種類及び各種の論述や量子力学理論及びその製造方法、材料の類別などについては、各当業者のよく知るところであり、且つ既に成熟した実用的な製品が広く使われているので、ここでは逐一贅述しない。
【発明の効果】
【００２６】
このシステムのメリットは、電気エネルギーを数倍も蓄積し、梅雨季節や日照り時間の比較的短い冬季に係らず、いつも電気エネルギー源として蓄積し、且つ知能的に自己制御して循環作動することが出来、安心して街灯を予定通り服役させ、現在の太陽エネルギー発電系統のように、天候や日照り不足のために制限されることなく、運営できる。
【発明を実施するための最良の形態】
【００２７】
［実施例］
図１を参照して、本発明は、光エネルギー及び電気エネルギーの交互転換によって自己発電・蓄電・配電・給電を行う方法及びそのシステムを提供するもので、本実施例では、住宅を例としている。このシステムには、日照り下に露出した外部太陽電池モジュール１と、中空構造物体２の中に設置された内部太陽電池モジュール３と（図４参照）、適当な波長の人工光源４と、蓄電装置ユニット５と、自動制御回路ボックス６と、負荷７と、商用電力ネットワーク・システム８と、商用電力のインターフェース制御器８１と、必要な制御回路及び保護回路と、を配備している。
【００２８】
太陽光９が戸外に設置した外部太陽電池モジュール１に投射すると、直ちに電気エネルギーが生じて人工光源４へ供給される。この人工光源４に定格パワーの特定波長の光エネルギーが生じて一つ一つの中空構造物体２の中の合せて六つの内部太陽電池モジュール３へ均一に照射される。中空構造物体２を三つ配置すると、合計１８個となる、この１８個の内部太陽電池モジュール３に即刻数倍の電力が発生し、自動制御回路ボックス６を経由して負荷７及び蓄電装置ユニット５へ配送され、配電・給電及び蓄電の任務を行う。暗夜が訪れ又はその他日照り不足の状況が発生した場合、戸外におかれた外部太陽電池モジュールには、電力が発生しないが、この時、自動制御回路ボックス６によって配電・給電メカニズムを蓄電装置ユニット５へ切り替えて引き続き電気エネルギーを人工光源４へ供給し、且つ蓄電装置ユニット５がある程度放電した時に、自動制御回路ボックス６によって充電メカニズムを起動させ、箱内の内部太陽電池モジュール３からフィードバック充電する。本システム電気エネルギーの使用量が比較的少ない時は、自動制御回路ボックス６が自己検知して商用電力とのインターフェース制御ユニットを起動させ、余分の電気エネルギーを電気メーター８２経由で商用電力ネットワーク・システムへ注入できる。反対の場合も又然りである。
【００２９】
必要ならば、戸外の外部太陽電池モジュール１の適当な対応位置に適当な波長の人工光源１１を設置して、独立照射又は適度に鏡面或いはその他の反射技術を応用すれば、暗夜においても前記外部太陽電池モジュール１を照射することが出来る。このようにして、パワーの転換効率を評価した後、やはり効果と利益があると認められた場合、より多くの電気エネルギーを収集する手段として実施することも考えられる。即ち、太陽エネルギーから転換して得られる電気エネルギー源のほかに、その他の人工電気エネルギー源を使用することも可能である。このほかに、中空構造体２の中に適度に鏡面又は反射材料を配置すると、内部太陽電池モジュール３と合せて人工光源の効率を向上させることも出来、実際に応用する時、参照して実施に取り入れると良い。
【００３０】
図２を参照して、本発明は、光エネルギー及び電気エネルギーの交互転換によって自己発電・蓄電・配電・給電を行う方法及びそのシステムを提供するもので、本実施例では、街灯１０を例としていて、独立した電気用具での実施状況である。このシステムには、中空構造物体２と、前記中空構造物体２の中に設けた計六つの内部太陽電池モジュール３と、適当な波長の人工光源４と、太陽光９の照射下に露出した太陽電池モジュール１と、蓄電装置ユニット５と、及び必要な制御回路と保護回路と、を備えている。本システムを使用する時は、日照り下に露出した外部太陽電池モジュール１によって太陽光９を収集且つ即刻電気エネルギーに転換して人工光源４へ供給し、人工光源４では同時に適当な波長の光エネルギーによって均一に照射を行う。中空構造物体２の中にある内部太陽電池モジュール３では、直ちに大量の電力を生成でき、この電力をパイプライン制御システムを通じて蓄電装置ユニット５へ輸送して電気エネルギーの蓄積を行い、夜間街灯１０の任務を果たし、又電気エネルギー源として蓄積することも出来る。このシステムのメリットは、電気エネルギーを数倍も蓄積し、梅雨季節や日照り時間の比較的短い冬季に係らず、いつも電気エネルギー源として蓄積し、且つ知能的に自己制御して循環作動することが出来、安心して街灯を予定通り服役させ、現在の太陽エネルギー発電系統のように、天候や日照り不足のために制限されることなく、運営できる。
【００３１】
前述した中空構造物体は、箱形・三角形・多角形・球形又はその他の適当な形状であってよく、或いはこれらの組合せであっても良い。且つ前記中空構造物体２には、監視窓やインジケーター及び警告信号を設けて、システムの正常な運営を確保すると良い。
【００３２】
図３を参照して、本実施例は、総合的な発電・蓄電・配電・給電のシステムであり、図１と異なる点は、本実施例は住まい用に限らず、数多くの負荷７に配分することが出来、燃料・石油のエネルギー消耗を適当に節減し、クリーンな電力供給源を提供することが出来る。又、本発明を運搬キャリヤー７１に応用してディーゼルエンジンの動力にとって替わることも出来る。
【００３３】
図４を参照して、本発明に言うところの中空構造物体２は、取り外して折り畳み、携帯できるもので、複数の板体２１によって構成され、且つボルト・刺し込みピン或いは押さえ金具などの簡易方式で組立て固定を行い、一つ一つの板体２１の内側には、内部太陽電池モジュール３が設置され、これに携帯用人工光源４・蓄電装置ユニット５・及び適当な制御回路を組合わせると、容易く光エネルギー及び電気エネルギーの交互転換によって自己発電・蓄電・配電・給電を行うシステムを完成することが出来る。
【００３４】
図５を参照すると、効率の良さと広くエネルギーを集めることと、システムのコンパクト化のために、大きいほうの中空構造物体２の中には小さな中空構造物体２２が数個にわかれていて、それぞれの中空構造物体２２の中には人工光源４が１つづつ設置されている。
またこの発明においては人工光源４はより少ない消費電力を必要とするが、複数の中空構造物体２２は明らかに１つの中空構造物体２よりも大きいものであり、全体の効率は改良される。
【図面の簡単な説明】
【００３５】
【図１】本発明に係る住まい用システム構成図である。
【図２】本発明の応用例図である。
【図３】本発明の総合的システム構成図である。
【図４】本発明に係るポータブル式中空構造物体例図である。
【図５】本発明に係るポータブル式中空構造物体例図の他の実施例である。
【符号の説明】
【００３６】
１        外部太陽電池モジュール
１１      人工光源
２        中空構造物体
２１      板体
２２      中空構造物体
３        内部太陽電池モジュール
４        人工光源
５        蓄電装置ユニット
６        自動制御回路ボックス
７        負荷
７１      運搬キャリヤー
８        商用電力ネットワーク・システム
８１      インターフェース制御器
８２      電気メーター
９        太陽光
１０      街灯
【図１】
2006296164.tif 000003
【図２】
2006296164.tif 000004
【図３】
2006296164.tif 000005
【図４】
2006296164.tif 000006
【図５】
2006296164.tif 000007
【外国語明細書】
2006296164000001.pdf